(57)【要約】      （修正有）【課題】現状の構造を大きく変えることなく、安価でトリップロックの作業性を改善し得るトリップロック端子を提供する。【解決手段】遮断器又は継電器の何れか一方にそれぞれ接続されて盤に配設されている２個の端子部３１，３２と、端子部間を短絡し得るとともに端子部に対して着脱可能となっている接続バー２４とを有するトリップロック端子であって、接続バーは、導電部材で形成され、一方の面が絶縁部材２４ａで覆われるとともに、他方の面の、端子部と接触する両端部を除く中央部が絶縁部材２４ｃで覆われている。端子部は、前方に突出するように前記盤に固定され前記遮断器又は継電器の何れか一方にそれぞれ接続された導電部材からなるロッド９，１０に螺合されて接続バーを挟持する一組のナット３，１５および４，１６のうち各ロッドの先端側のナット１５，１６の表面がそれぞれ絶縁部材１５ｂ，１６ｂで覆われている。【選択図】図１
2010148337.tif 000002
【特許請求の範囲】
【請求項１】
遮断器又は継電器の何れか一方にそれぞれ接続されて盤に配設されている２個の端子部と、前記端子部間を短絡し得るとともに前記端子部に対して着脱可能となっている接続バーとを有するトリップロック端子であって、
一方の面が絶縁部材で覆われるとともに、他方の面が前記端子部と接触する両端部を除く中央部が絶縁部材で覆われている導電部材で形成した接続バーと、  
前方に突出するように前記盤に固定されるとともに前記遮断器又は継電器の何れか一方にそれぞれ接続された導電部材からなるロッドに螺合されて前記接続バーを挟持する一組のナットのうち前記ロッドの先端側のナットの表面がそれぞれ絶縁部材で覆われている端子部とを有することを特徴とするトリップロック端子。
【請求項２】
請求項１に記載するトリップロック端子において、
前記中央部の絶縁部材には、トリップロック中であることを表す文字又は記号を表示するように構成したことを特徴とするトリップロック端子。
【請求項３】
請求項１又は請求項２に記載するトリップロック端子において、
前記先端側のナットのうち前記絶縁部材で覆われている部分が前記ロッドの軸方向に沿いその基端側に移動するようにバネ力を付与させたことを特徴とするトリップロック端子。
【発明の詳細な説明】
【技術分野】
【０００１】
本発明はトリップロック端子に関し、特に遮断器の動作をロックする場合に適用して有用なものである。
【背景技術】
【０００２】
変電所などにおいては、電力系統に発生する異常現象を検出すると、遮断器等の主器（開閉器）にトリップ指令を出力し、これにより故障区間を遮断して正常な系統や機器に異常現象が波及することを防ぐ保護継電器が設置されている。このような継電器は、送電停止を行なわずに点検や工事を行なう必要があるため、継電器の点検や工事などで遮断器が不用意に動作して停電しないようにする必要がある。このため、継電器側と遮断器側との間に点検時などにトリップ回路を開路（ロック）するトリップロック端子が設けられている。
【０００３】
従来技術に係るこの種のトリップロック端子を図２に示す。図２（ａ）は接続バーの表面側を示す正面図、（ｂ）は端子部を接続バーで短絡した通常時（トリップロック解除時）の状態で示すトリップロック端子の側断面図である。同図に示すように、当該トリップロック端子は、２個の端子部１、２と端子部１、２間を短絡する接続バー１４とを有している。端子部１、２は遮断器側（図中上側）及び継電器側（図中下側）で制御盤の前面パネル１３に配設されて接続バー１４を着脱し得るように構成された同一部材である。さらに詳言すると、端子部１，２は、ナット３，４を介してその基端部を前面パネル１３に固着されて前方に突出している導電部材であるロッド９，１０と、ロッド９，１０に形成された雄ネジ部に螺合されているナット（５，７）、（６，８）を有している。ここで、前面パネル１３の外部に臨んでいるナット３乃至６は感電防止のためにそれぞれの外周部が絶縁部材３ａ，４ａ，５ａ，６ａで覆われており、絶縁部材３ａ乃至６ａと一体となっている導電部材３ｂ，４ｂ，５ｂ，６ｂがロッド９，１０にそれぞれ接触するように螺合されている。同様のナット７，８は全体が絶縁部材で形成されている。
【０００４】
接続バー１４は全体が導電部材で形成されており、作業者の手に触れる中央部が絶縁部材１４ａで覆われている。そこで、接続バー１４を端子部１，２間に取り付けて両端子部１，２間を短絡する際には、絶縁部材１４ａをナット３，５及びナット４，６間に装着した状態でナット５，６をナット３，４側に締めこみ、導電部材（３ｂ，５ｂ）、（４ｂ，６ｂ）を接続バー１４の導電部に当接させる。ここで、ナット７，８はロッド９，１０にねじ込んでナット５，６に当接させることによりその緩みを防止するためのものである。一方、遮断器に接続されている接続配線（図示せず）はナット２１，２３間に締め付けることによりロッド９に接続され、継電器に接続されている接続配線（図示せず）はナット２２，２４間に締め付けることによりロッド１０に接続されている。
【０００５】
かくしてトリップロックが解除されている通常時には接続バー１４を介して遮断器側と継電器側とが接続される。
【０００６】
かかる構造のトリップロック端子は、ロック操作時等の運用に当たり、接続バー１４の紛失を防止するため、当該トリップロック端子部分に透明な端子カバーをかけてその中に取り外した接続バー１４を保管するようにしていた。また、ロック操作の終了後にトリップロック状態の戻し忘れを防止すべく「ロック中」の札を作成し、この札をトリップロック部分に下げるようにしていた。
【０００７】
なお、この種のトリップロック端子を開示する公知文献として特許文献１や特許文献２が存在する。
【特許文献１】特開２００８−１９３７６３号公報
【特許文献１】特開２００６−３３３６５９号公報
【発明の開示】
【発明が解決しようとする課題】
【０００８】
遮断器のトリップロックに伴うトリップロック端子の上述の如き運用上の対策は、ヒューマンエラーの反省や、作業改善の観点から整備されてきたものではあるが、次のような問題が残存するものとなっていた。
１）  トリップロック端子のためのカバーを別途用意する必要があり、またこのカバーを破損した場合の対策も講じておく必要がある。
２）  「ロック中」の札を用いる場合にはこの札を別途整備する必要があり、コスト的にも不利である。
【０００９】
本発明は、上記従来技術に鑑み、カバー乃至特別な札を必要とすることなく、また現状の構造を大きく変えることなく安価なコストでトリップロック作業に伴う作業性を改善し得るトリップロック端子を提供することを目的とする。
【課題を解決するための手段】
【００１０】
上記目的を達成する本発明の第１の態様は、
遮断器又は継電器の何れか一方にそれぞれ接続されて盤に配設されている２個の端子部と、前記端子部間を短絡し得るとともに前記端子部に対して着脱可能となっている接続バーとを有するトリップロック端子であって、
一方の面が絶縁部材で覆われるとともに、他方の面が前記端子部と接触する両端部を除く中央部が絶縁部材で覆われている導電部材で形成した接続バーと、  
前方に突出するように前記盤に固定されるとともに前記遮断器又は継電器の何れか一方にそれぞれ接続された導電部材からなるロッドに螺合されて前記接続バーを挟持する一組のナットのうち前記ロッドの先端側のナットの表面がそれぞれ絶縁部材で覆われている端子部とを有することを特徴とするトリップロック端子にある。
【００１１】
本態様によれば、通常時には接続バーの導電部を介して両端子部間を短絡することができる。一方、取り外した接続バーを裏返しにして端子部間に接続した場合は接続バーの絶縁部材と端子部側の導電部が接触した状態となるので、端子部間は絶縁状態にあり開路状態、すなわちトリップロック状態を維持することができる。
【００１２】
本発明の第２の態様は、
第１の態様に記載するトリップロック端子において、
前記中央部の絶縁部材には、トリップロック中であることを表す文字又は記号を表示するように構成したことを特徴とするトリップロック端子にある。
【００１３】
本態様によれば、トリップロック状態にあることを作業者に明確に伝えることができる。
【００１４】
本発明の第３の態様は、
第１又は第２の態様に記載するトリップロック端子において、
前記先端側のナットのうち前記絶縁部材で覆われている部分が前記ロッドの軸方向に沿いその基端側に移動するようにバネ力を付与させたことを特徴とするトリップロック端子にある。
【００１５】
本態様によれば適切な押圧力でナットを接続バーの絶縁部材に当接させることができるため、必要以上の締付力の作用による絶縁部材の損傷を未然に防止し得る一方で、接続バーに対する必要な締付力は同時に付与することができる。
【発明の効果】
【００１６】
本発明によれば、トリップロック時に取り外した接続バーを裏返しにして端子部間に接続しておけば端子部間の開路状態がそのまま保持されたトリップロック状態を維持することができる。この結果、トリップロック作業に伴い取り外した接続バーの紛失の虞をなくすことができる。また、トリップロック時には裏面の絶縁部が作業者に見えるようになっているので、トリップロック作業の終了後もトリップロック状態を解除せずそのままにしておくという間違いを未然に防止し得る。
【発明を実施するための最良の形態】
【００１７】
以下本発明の実施の形態を図面に基づき詳細に説明する。
【００１８】
図１は本発明の実施の形態に係るトリップロック端子の構造を説明するための図で、（ａ）は通常時（トリップロック解除時）の装着状態である接続バーの表面側を示す正面図、（ｂ）はトリップロック時の状態である接続バーの裏面側を示す正面図、（ｃ）は端子部に接続バーを装着した状態で示す側断面図である。なお、図中図２と同一部分には同一番号を付し、重複する説明は省略する。
【００１９】
接続バー２４は、図１（ａ）に示すように一方の面である表面が絶縁部材２４ａで覆われるとともに、図１（ｂ）に示すように他方の面である裏面が端子部３１，３２と接触する両端部を除く中央部が絶縁部材２４ｃで覆われている導電部材２４ｂで形成してある。また、裏面の絶縁部材２４ｃには「ロック中」の文字が付してある。
【００２０】
図２に示す端子部１，２に対応する端子部３１，３２は、ロッド９，１０に螺合されて接続バー２４を挟持する一組のナット（３，１５）、（４，１６）のうちロッド９，１０の先端側のナット１５，１６が絶縁部材で形成されている。その他は図２に示す端子部１，２と同様の構成である。さらに詳言すると、ナット１５，１６は同一構成の部材であるが、外周部を形成している絶縁部材１５ａ，１６ａのみならず、絶縁部材１５ａ，１６ａに嵌まり込んでロッド９，１０に螺合される中央部も絶縁部材１５ｂ，１６ｂで形成されている。このように絶縁部材１５ｂ，１６ｂは、絶縁部材１５ａ，１６ａに嵌め込んだ構造となっているが、絶縁部材１５ｂ，１６ｂの内側端面は絶縁部材１５ａ，１６ａの空間に収納するバネ１７，１８によりロッド９，１０の軸方向に沿いナット３，４側に向かうバネ力を付与されている。
【００２１】
かかるトリップロック端子において、通常時（トリップロック解除時）には接続バー２４の表面が見えるように（図１（ａ）に示す状態で）端子部３１，３２間に取り付けておく。この状態では接続バー２４の裏面の導電部材２４ｂがナット３，４の導電部材３ｂ，４ｂに当接するのでロッド９，１０が電気的に接続された状態となり端子部３１，３２間を接続バー２４で短絡することができる。図１（ｃ）はこの通常状態を示している。
【００２２】
一方、トリップロックに伴い接続バー２４を取り外した場合には、取り外した接続バー２４を裏返し（図１（ｂ）に示す状態）にして裏面が見えるように端子部３１，３２間に取り付ける。この状態では接続バー２４の裏面の導電部材２４ｂがナット１５，１６の絶縁部材１５ｂ，１６ｂに当接するので両者間は絶縁される。同時に、ナット３，４の導電部材３ｂ，４ｂには接続バー２４の絶縁部材２４ａが当接するので両者間が導通されることはない。したがって、かかる状態で接続バー２４を端子部３１，３２間に取り付けても端子部３１，３２間が短絡されることはない、トリップロック状態が保持される。
【００２３】
ここで、ナット１５，１６の絶縁部材１５ｂ，１６ｂはバネ１７，１８によりナット３，４側に押圧されているので、適切な押圧力で絶縁部材１５ｂ，１６ｂを接続バー２４の絶縁部材２４ｃに当接させることができるため、必要以上の締付力の作用による絶縁部材２４ｃの損傷を未然に防止し得る。一方、接続バー２４に対する必要な締付力はバネ１７，１８によっても同時に付与することができる。また、トリップロック作業に伴い、接続バー２４を裏返しに取り付けた場合、絶縁部材２４ｃに表示された「ロック中」の文字を作業者が視認できる。
【００２４】
この結果、トリップロック時に取り外した接続バー２４の保管に関しては、接続バー２４を裏返しにして端子部３１，３２間に取り付けることで対処できる。また、トリップロック作業中のトリップロック中であることの注意表示及びトリップロック作業終了後のトリップロックの戻し忘れ防止に対しては接続バー２４の表示機能で対処することができる。
【００２５】
この結果、従来のカバーケースは不要になり、また別途表示用の札を用意することも不要になる。
【００２６】
なお、上記実施の形態においては接続バー２４の裏面の絶縁部材２４ｃに「ロック中」の文字を付したが、これに限定するものではない、トリップロック中であることを示す他の記号等であっても勿論構わない。また、表示自体がなくても構わない。導電部材２４ｂと絶縁部材２４ｃとが同時に視認できることでトリップロック中であることを表すことができるからである。
【００２７】
また、ナット１５，１６は全体を絶縁部材で構成してバネ１７，１８を省略しても原理的には構わない。ただ、ナット１５，１６を締めすぎた場合、接続バー２４の絶縁部材２４ａを損傷する虞はある。
【産業上の利用可能性】
【００２８】
本発明は電力系統の運用、保守に関する産業分野において利用することができる。
【図面の簡単な説明】
【００２９】
【図１】本発明の実施の形態に係るトリップロック端子の構造を説明するための図で、（ａ）は通常時（トリップロック解除時）の装着状態である接続バーの表面側を示す正面図、（ｂ）はトリップロック時の状態である接続バーの裏面側を示す裏面図、（ｃ）は端子部に接続バーを装着した状態で示すトリップロック端子の側断面図である。
【図２】従来技術に係るトリップロック端子の構造を説明するための図で、（ａ）は接続バーの表面側を示す正面図、（ｂ）は端子部を接続バーで短絡した通常時（トリップロック解除時）の状態で示すトリップロック端子の側断面図である。
【符号の説明】
【００３０】
３乃至８，１５，１６，２１，２２            ナット
３ａ，４ａ，１５ａ，１６ａ，１５ｂ，１６ｂ  絶縁部材
９，１０                                    ロッド
１３                                        前面パネル
１７，１８                                  バネ
２４                                        接続バー
２４ａ，２４ｃ                              絶縁部材
２４ｂ                                      導電部材
３１，３２                                  端子部
【図１】
2010148337.tif 000003
【図２】
2010148337.tif 000004